(57)【要約】【課題】【解決手段】独立記述セレクタは、原紙のコピーを作成するモピー機（mopier）および／またはコピー機において、原紙に関するパラメータを選択する独立原紙セレクタデバイスを含む。コピーに関するパラメータを選択するための独立コピーセレクタデバイスが設けられる。好ましい実施形態では、入力デバイスが原紙セレクタおよびコピーセレクタに接続され、パラメータの追加削除およびパラメータの削除を行う。さらなる実施形態では、モピー機および／またはコピー機にオーディオおよび／またはビジュアルデバイスが接続され、パラメータが選択されたときにそのパラメータを可聴的かつ視覚的に示す。
2004524999.tif 000002
【特許請求の範囲】
【請求項１】
原紙のコピーを作成するモピー機および／またはコピー機において、
ａ）前記原紙に関するパラメータを選択するための独立原紙セレクタデバイスと、
ｂ）前記コピーに関するパラメータを選択するための独立コピーセレクタデバイスと
を備える独立記述セレクタ装置。
【請求項２】
前記独立原紙セレクタデバイスおよび前記独立コピーセレクタデバイスに接続され、パラメータの追加および削除を行うための入力デバイスをさらに備える請求項１記載の装置。
【請求項３】
前記モピー機および／またはコピー機に接続され、パラメータが選択されたときにそのパラメータを可聴的および視覚的に示すようにするオーディオおよび／またはビジュアルデバイスをさらに備える請求項１記載の装置。
【請求項４】
前記独立原紙セレクタデバイスは、前記原紙に関して利用可能なパラメータの順序付きリストをさらに含む請求項１記載の装置。
【請求項５】
前記独立コピーセレクタデバイスは、前記コピーに関して利用可能なパラメータの順序付きリストをさらに含む請求項１記載の装置。
【請求項６】
前記利用可能なパラメータは、丁合、カラー、グラフィックス、両面／片面、向き、テキスト、およびサイズを含む群から選択される請求項４記載の装置。
【請求項７】
前記利用可能なパラメータは、丁合、カラー、グラフィックス、両面／片面、向き、テキスト、およびサイズを含む群から選択される請求項５記載の装置。
【請求項８】
原紙のコピーを作成するモピー機および／またはコピー機において、
ａ）前記原紙に関するパラメータを選択するための独立原紙セレクタデバイスと、
ｂ）前記原紙の意図されるコピーに関するパラメータを選択するための独立コピーセレクタデバイスと、
ｃ）前記独立原紙セレクタデバイスおよび前記独立コピーセレクタデバイスに接続され、前記パラメータの追加および削除を行うための入力デバイスと、
ｄ）前記モピー機および／またはコピー機に接続され、パラメータが選択されたときにそのパラメータを可聴的および視覚的に示すようにするオーディオおよび／またはビジュアルデバイスと
を備える独立記述セレクタ装置。
【請求項９】
前記独立原紙セレクタデバイスは、前記原紙に関して利用可能なパラメータの順序付きリストをさらに含む請求項８記載の装置。
【請求項１０】
前記独立コピーセレクタデバイスは、前記原紙の意図されるコピーに関して利用可能なパラメータの順序付きリストをさらに含む請求項８記載の装置。
【請求項１１】
前記利用可能なパラメータは、丁合、カラー、グラフィックス、両面／片面、向き、テキスト、およびサイズを含む群から選択される請求項８記載の装置。
【請求項１２】
原紙のコピーを作成するモピー機および／またはコピー機において、
ａ）前記モピー機および／またはコピー機に原紙に関するパラメータのリストを追加するステップと、
ｂ）前記モピー機および／またはコピー機にコピーに関するパラメータの独立したリストを追加するステップと、
ｃ）原紙に関する前記パラメータを選択するための独立原紙セレクタデバイスを前記モピー機および／またはコピー機に接続するステップと、
ｄ）コピーに関するパラメータの前記独立したリストからコピーに関する前記パラメータを選択するための独立コピーセレクタデバイスを前記モピー機および／またはコピー機に接続するステップと、
ｅ）前記原紙に関するパラメータを選択するステップと、
ｆ）作成すべき前記コピーに関するパラメータの前記独立したリストからパラメータを選択するステップと
を含む独立記述選択方法。
【請求項１３】
パラメータの追加および削除を行うための入力デバイスを前記モピー機および／またはコピー機に接続するステップをさらに含む請求項１２記載の装置。
【請求項１４】
パラメータが選択されたときにそのパラメータを可聴的および視覚的に示すようにするオーディオおよび／またはビジュアルデバイスを前記モピー機および／またはコピー機に接続するステップをさらに含む請求項１２記載の装置。
【請求項１５】
丁合、カラー、グラフィックス、両面／片面、向き、テキスト、およびサイズを含む群からパラメータを選択するステップをさらに含む請求項１２記載の装置。
【請求項１６】
独立した原紙のコピーを作成するモピー機および／またはコピー機において、コンピュータ可読媒体に記録された、独立記述選択システムを提供するコンピュータコードであって、
ａ）原紙セレクタが前記原紙に関するパラメータを選択するコンピュータコードと、
ｂ）独立コピーセレクタデバイスが前記原紙の所望のコピーに関するパラメータを選択するコンピュータコードと
を含むコンピュータコード。
【請求項１７】
パラメータの追加および削除を行うコンピュータコードをさらに含む請求項１６記載の発明。
【請求項１８】
パラメータが選択されたときにそのパラメータを可聴的および／または視覚的な記述を提供するコンピュータコードをさらに含む請求項１６記載の発明。
【請求項１９】
前記独立原紙セレクタおよび前記独立コピーセレクタに利用可能なパラメータの順序付きリストを提供するコンピュータコードをさらに含む請求項１６記載の発明。
【請求項２０】
丁合、カラー、グラフィックス、両面／片面、向き、テキスト、およびサイズを含む群から利用可能なパラメータを選択するコンピュータコードをさらに含む請求項１９記載の発明。
【発明の詳細な説明】
【技術分野】
【０００１】
［発明の分野］
本発明は、独立記述セレクタ装置(independent description selector apparatus)および方法に関する。特に、本発明は、原紙のコピーを作成するモピー機(mopier)および／またはコピー機に直観的な独立記述セレクタを提供する装置および方法に関する。
【０００２】
［発明の背景］
「モピー機(mopier)」とは、原紙の複数部プリント（multiple original prints;モピー(mopies)）の作成に最適化されたネットワークプリンタの新しいカテゴリである。Hewlett-Packard社が初めて１９９６年にモピー機を導入した。モピーは、フォトコピーに代わる効率的な低コスト・高印字品質のプリントである。モピーはまた、従来のコピー機が行うのと同様の機能についての能力を有する。すなわち、コピー機が、原紙を「複製したもの」を複数部作成する際に有用であるのとまったく同じように、モピー機も同様に、原紙を複数部提供することによってこの作業を行うことができる。
【０００３】
しかし、当分野において公知のモピー機および／またはコピー機には、マシンとのユーザインタフェースに関する問題が存在している。従来のモピー機および／またはコピー機インタフェースは、機能に基づいた特徴を提供する。たとえば、両面コピーは「１−１、１−２、２−１、２−２」と提示され、ページからページへの拡大縮小は「リーガルからレター、Ａ４からレター等」と提示される。すなわち、当分野において現在では公知のこの種のインタフェースは、予め選択された、すなわち変更不可能な様に共に「リンク」され、使用しやすいが若干の欠点を有する「固定の」選択肢を提供する。たとえば、インタフェースにおいて、ユーザが探している機能性を見つけるにはどこに行くべきかが、ユーザにとって常に明確という訳ではない。たとえば、ページからページへの拡大縮小に行くには「ページサイズ」に行くべきかそれとも「拡大縮小」に行くべきか？さらに、こういった先行技術による「固定の」選択肢は、インタフェース設計者が考えられる原紙の選択肢に考えられるコピーの選択肢を結び付けるという意味において、インタフェース設計者によってリンクされている。しかし、設計者にとっては有用であり明確な組み合わせでも、通常のユーザにとってはそれほど明確または有用ではない場合もあり、通常、ユーザはこれらを変更する権限を持たない。
【０００４】
公知のインタフェースは、いくつかの機能を名称付けすることかつ／または分類することが難しいために、さらに厄介であり使用しにくい。このため、インタフェース設計者は単純に、新しい特徴が出現した場合には広く新しいカテゴリを追加する。これにより、得てしてユーザインタフェースがごちゃごちゃになる。あるいは、インタフェース設計者にとってさえもこういった特徴をどこに配置するかはっきりしないため、設計者はこれら特徴を「拡張特徴」等包括的なカテゴリにひとまとめにする場合もある。
【０００５】
公知のモピー機および／またはコピー機インタフェースに関連する問題は、幅広くかつ使用しやすいリストを提供することができないことにある。すなわち、たとえばモピー機および／またはコピー機に８つの用紙サイズがある場合、ページからページへの拡大縮小の選択肢を網羅するリストには、６４の固定選択肢を列挙する必要がある。これは、通常のユーザにはもて余すリストである。要約すれば、モピー機および／またはコピー機が生成可能なコピーがどれだけよくとも、分かりにくく使用しにくければ、使用されない可能性のほうが高い。
【０００６】
さらに、従来の機能ベースのコピー機インタフェースでは、「冊子モード」および「中央ステープル止め」（中央ステープル止めは冊子モードが選択されない限り使用可能にならない）等、互いに相互作用しうる特徴が、インタフェースの２つの別の場所に実際にある可能性がある。このため、ユーザは、「冊子モード」が選択されて初めて「中央ステープル止め」が利用可能になることに気付かない可能性がある。
【０００７】
したがって、当分野において、原紙のコピーを作成するモピー機および／またはコピー機に独立記述セレクタが必要である。特に、当分野において、使用しやすく、アップデートが容易であり、ユーザに直観的な選択肢を提供する直観的な独立記述セレクタが必要である。したがって、本発明の目的は、原紙のコピーを作成するモピー機および／またはコピー機に、設計者およびユーザ両方のニーズに合致した独立記述セレクタを提供することにある。
【０００８】
［発明の概要］
したがって、本発明の独立記述セレクタ装置および方法は、原紙のコピーを作成するモピー機(mopier)および／またはコピー機において、原紙に関するパラメータを選択するための独立原紙セレクタデバイスを含む。所望のコピーに関するパラメータを選択するための独立コピーセレクタデバイスが設けられる。好ましい実施形態では、本発明は、独立原紙セレクタデバイスおよびコピーセレクタデバイスに接続され、パラメータの追加および削除を行うための入力デバイスをさらに含む。さらに別の実施形態では、オーディオおよび／またはビジュアルデバイスがモピー機および／またはコピー機に接続され、パラメータが選択されたときにそのパラメータを可聴的かつ視覚的に示す。別の好ましい実施形態では、独立原紙セレクタデバイスは、原紙に関して利用可能なパラメータの順序付きリストをさらに含む。さらに好ましい実施形態では、独立コピーセレクタデバイスは、コピーに関して利用可能なパラメータの順序付きリストをさらに含む。他の好ましい実施形態では、丁合、カラー、グラフィックス、両面／片面（面の数）、向き、テキスト、およびサイズを含む群から利用可能なパラメータが選択される。
【０００９】
本発明のさらなる好ましい実施形態では、原紙のコピーを作成するモピー機および／またはコピー機において、独立記述選択方法が、モピー機および／またはコピー機に原紙に関するパラメータのリストを追加するステップを含む。コピーに関するパラメータの独立したリストがモピー機および／またはコピー機に追加される。次いで、原紙に関するパラメータを選択するための独立原紙セレクタデバイスがモピー機および／またはコピー機に接続される。次に、コピーに関するパラメータの独立したリストから、コピーに関するパラメータを選択するための独立コピーセレクタデバイスがモピー機および／またはコピー機に接続される。次いで、原紙に関するパラメータが選択され、最後に、作成するコピーに関するパラメータが独立したリストから選択される。
【００１０】
方法の好ましい実施形態では、丁合、カラー、グラフィックス、両面／片面、向き、テキスト、およびサイズを含む群からパラメータを選択するステップが追加される。さらに別の実施形態では、パラメータの追加および削除を行うための入力デバイスがモピー機および／またはコピー機に接続される。別の好ましい実施形態では、オーディオおよび／またはビジュアルデバイスがモピー機および／またはコピー機に接続され、パラメータが選択されたときにそのパラメータを可聴的および視覚的に示す。
【００１１】
さらに別の好ましい実施形態では、原紙のコピーを作成するモピー機および／またはコピー機において、独立記述選択システムを提供するためにコンピュータコードがコンピュータ可読媒体に記録され、独立原紙セレクタが原紙に関するパラメータを選択するコンピュータコードを含む。さらに、独立コピーセレクタデバイスが所望のコピーに関するパラメータを選択するコンピュータコードを含む。さらなる実施形態では、独立原紙セレクタおよび独立コピーセレクタに利用可能なパラメータの順序付きリストを提供するコンピュータコードを含む。別の好ましい実施形態では、丁合、カラー、グラフィックス、両面／片面、向き、テキスト、およびサイズを含む群から利用可能なパラメータを選択するコンピュータコードが提供される。さらに別の好ましい実施形態では、パラメータの追加および削除を行うコンピュータコードが提供される。最後に、好ましい実施形態では、パラメータが選択されたときにそのパラメータを可聴的および／または視覚的に示すコンピュータコードが提供される。
【００１２】
本発明の他の目的、特徴、および利点は、以下の好ましい実施形態の詳細な記述、併記の特許請求の範囲、および添付図面からより完全に明らかにされよう。
【００１３】
［好適な実施形態の詳細な説明］
本発明の好ましい実施形態を例として図１〜図３に示す。特に図１および図２を参照すると、本発明の独立記述セレクタ１０は、原紙１４のコピー１２を作成するモピー機(mopier)および／またはコピー機（図示せず）において、原紙１４に関するパラメータ１８を選択するための独立原紙セレクタデバイス１６を備える。本発明においては、「原紙」なる語は、コピー１２の形態で複製される対象物、最も一般的には文書を特定するために使用される。最も一般的な場合では、原紙１４は、複製すべきかつ／またはコピーすべき原文書の有形のものである。明らかに、本発明の範囲は、文書ではない原対象物もすべて包含する。
【００１４】
本発明の独立記述セレクタ１０は、コピー１２に関するパラメータ２２を選択するための独立コピーセレクタデバイス２０も含む。図１および図２は、独立原紙セレクタデバイス１６および独立コピーセレクタデバイス２０をユーザがアクティブにする「ボタン」の形態で示している。当分野において周知のように、独立原紙セレクタデバイス１６および独立コピーセレクタデバイス２０は、たとえば、マウスを使用して、アクティブにされた矢印をクリックすることによってユーザがアクティブにする、コンピュータ画面上のアイコンの形態をとることもできる。明らかに、モピー機および／またはコピー機のように、ハードウェアはボタンを含むことができ、マシンをコンピュータネットワークに接続して、ソフトウェアによって遠隔制御することもできる。
【００１５】
好ましい実施形態では、独立原紙セレクタデバイス１６は、利用可能なパラメータ１８の順序付きリスト２４を含む。同様に、好ましい実施形態では、独立コピーセレクタデバイス２０は、利用可能なパラメータ２２の順序付きリスト２６を含む。順序付きリスト２４および順序付きリスト２６は、任意の都合のよい有用な様式で順序付けることができる。図１および図２は、アルファベット順ならびに数字順に編成された順序付きリスト２４および順序付きリスト２６を示している。各順序付きリストは、インデックス２８も含みうる。インデックス２８は、当分野において公知のように、設計者またはユーザの便宜のため、探索に利用可能なすべてのパラメータを幅広く列挙するものである。
【００１６】
本発明では、原紙１４および／またはコピー１２に関して有用なあらゆるパラメータを利用することができる。単なる例として、有用なパラメータは、丁合３０、カラー３２、グラフィックス３４、両面／片面３６、向き３８、サイズ４０、およびテキスト４２を含む。以下さらに十分に考察するように、「Ｎ」個のパラメータ４４を追加することができる。さらに、これらパラメータそれぞれも追加の選択肢を含むことができる。たとえば、丁合３０パラメータは、ステープル４４およびのり４６という選択肢を含みうる。カラー３２パラメータは、白黒４８および多色５０を含みうる。グラフィックス３４パラメータは、有り５２およびなし５４を含みうる。両面／片面３６パラメータは、たとえば、片面５６および両面５８を含みうる。向き３８パラメータは、横置き６０および縦置き６２を含みうる。サイズ４０パラメータは、Ａ４（６４）、ブック（ｂｏｏｋ）（６６）、レジャー６８、８．５×１１（７０）等を含みうる。テキスト４２パラメータは、たとえば、有り７２およびなし７４を含みうる。他のパラメータとしては、たとえば冊子６９等「ページあたりの部数」選択が挙げられる。
【００１７】
これより図２を特に参照すると、独立コピーセレクタデバイス２０は、重要なことに、上に述べたパラメータ記述１８と異なるパラメータ記述２２および／または実質的に同一のパラメータ記述２２を有しうる。それでもなお、独立コピーセレクタデバイス２０はただそれだけである。すなわち、独立コピーセレクタデバイス２０は、独立原紙セレクタデバイス１６によってなされた選択に何等かの方法で「リンク」することができるが、実際には、独立原紙セレクタデバイス１６およびユーザにより原紙１４に関するものとして選択されたあらゆるパラメータ記述１８から完全に独立している。たとえば、ユーザが原紙１４を「両面」５８文書と記述すると、独立コピーセレクタ２０は、「両面」５８コピーが作成されることを自動的に示す。これは、論理的かつ正常で直観的な選択であるためであり、その上これによってユーザステップが少なくなる。しかし、独立コピーセレクタ２０は実際には原紙セレクタデバイス１６から独立しているため、ユーザは必要に応じてコピー１２のフォーマットを自由に変更することが可能である。
【００１８】
さらなる説明として、独立記述セレクタ１０は、先行技術による「機能」ベースの手法とは異なり、機能ベースの手法の代わりに「手元にあるものを記述し何が欲しいかを記述する(describe what you have and describe what you want)」手法をベースとする。説明したように、独立記述セレクタ１０の２つのカテゴリは、原紙１４およびコピー１２である。原紙１４「ボタン」の下では、ユーザは原紙１４文書がどのようなものか：サイズ、イメージの向き、片面かそれとも両面か、テキストで構成されているかそれともグラフィックスで構成されているか等を正確に記述する。コピー１２「ボタン」の下では、ユーザは、所望のコピーがどのようなものかを正確に記述するパラメータ２２を選択する。原紙１４の選択および記述から完全に独立して、ユーザは、コピー１２のあるべきサイズ、片面それとも両面であるべきか、ページあたり複数部コピーすべきか、ステープル止めすべきか等を判断する。結果として、本発明によれば、ユーザが正確に所望の種類のコピー１２を得ることは直観的に容易である。たとえば、従来の先行技術によるモピー機および／またはコピー機の「ブックモード」という高度な特徴は、単に本発明による原紙１４のページサイズにすぎない。同様に、「冊子作成」という高度な特徴は、単にコピー１２に適用されるコピーパラメータ２２になる。たとえば、ページからページへの拡大縮小に伴う先行技術の問題は解消される。本発明によれば、ユーザは単に原紙１４の用紙サイズおよび所望のコピー１２の用紙サイズを指定するだけである。これによって、６４組すべての組み合わせが、固定のリンクされた選択肢にユーザが途方にくれることなく、直観的に利用可能になる。
【００１９】
さらにまた、本発明によれば、先行技術に存在していた選択肢がいくつか単に必要なくなる。たとえば、原紙１４のページが、「横置き」様式に向けられたイメージを有すると記述されている場合、ユーザがコピー１２の左下以外の場所でステープル止めしたい場合以外は、横置きコピー１２の適当な左下の場所で自動的にステープル止めされる。同様に、原紙１４のページの向きの記述に基づいて、１ページあたり４ページ分をプリントするコピー（four-up copies）での向きは自動的に異なったものとなる。要約すれば、本発明によれば、特徴が容易に見つけられ、以前は「ブックモード」等記述がいくらか難しかった機能が使用しやすくなる。
【００２０】
引き続き図１および図２を参照して、本発明の別の好ましい実施形態を示す。この実施形態では、オーディオおよび／またはビジュアルデバイス７６がモピー機および／またはコピー機に接続され、パラメータ１８および２２が選択されたときに、そのパラメータが可聴的７８および視覚的８０に示される。すなわち、本発明によれば、ユーザが原紙１４を正確に記述するものとしてサイズ（４０）８．５×１１（７０）を選択すると、「８．５×１１」という言葉が聞こえてオーディオアイコン８２が明滅するか、またはある他の適切な方法で機能中であることを示す。加えて、原紙アイコン８４は、レター８．５×１１の視覚的な形状を示す。
【００２１】
同様に、ユーザが意図するコピー１２、たとえばサイズ４０がレジャー（ledger）６８であると記述すると、オーディオアイコン８２が明滅し、「レジャー」という言葉が聞こえる。また、コピーアイコン８６は図２に示すようにレジャー６８のサイズを示す。
【００２２】
これより図３を参照すると、好ましい実施形態では、入力デバイス８８が独立原紙セレクタデバイス１６および独立コピーセレクタデバイス２０に接続される。本発明によれば、先行技術に伴って見られるパラメータの追加および削除の問題が解消される。新しい機能が利用可能になった場合、ユーザは単に原紙パラメータ１８を選択し、それから「追加」ボタン９０を選択してから「実行」９２を選択するだけである。機能が使われなくなった場合、ユーザは原紙パラメータ１８およびコピーパラメータ２２のいずれか一方、またはこれら両方を適宜選択し、それから「削除」ボタン９４を選択して、実行９２を押下する。
【００２３】
使用にあたり、インタフェース設計者は簡単かつ直観的に、設計中のモピー機および／またはコピー機が取り扱うことのできるすべての原紙パラメータ２４およびコピーパラメータ２２を記述する。これらパラメータは、好ましくは、順序付きリストに記載される。重要なことはここでも、コピーパラメータ２２は、原紙パラメータ１８と実質的に同様であり通常の場合にユーザステップを省くよう直観的にリンクすることができる場合であっても、原紙パラメータ１８から完全に独立していることである。したがって、ユーザは単に、原紙１４を観察して、順序付きリスト２４から適切な原紙パラメータ１８を選択することによって完全に、簡単に、かつ直観的に原紙１４を記述するだけである。好ましい実施形態では、ユーザが各選択を行うと、上に述べたようにオーディオおよびビジュアルでの応答が生成される。その後、ユーザは単に、コピー１２がユーザの意図する形態に合うように順序付きリスト２６からコピーパラメータ２２を選択する。ここでも、好ましい実施形態では、コピーパラメータ２２をそれぞれ選択すると、上に述べたようにオーディオおよびビジュアルでの応答が生成される。本発明では、原紙パラメータ２４とコピーパラメータ２２を切り離すことにより、コピージョブの達成に必要なパラメータを入力する、より自然で論理的に理解しやすい手段がもたらされる。
【００２４】
さらに、インタフェース設計者は、新しいパラメータを開発した場合、上に述べたように入力デバイス８８によって簡単かつ容易に追加することができる。同様に、ユーザは、必要に応じてパラメータの追加または削除を行うことができる。したがって、本発明の独立記述セレクタ１０は、最も簡単であり最新の、使用しやすいパラメータをユーザに常に提供し、これによってモピー機および／またはコピー機のユーザのインタフェースがこれまで可能であったものよりもはるかに生産性の高いものになる。
【００２５】
本発明の好ましい実施形態と併せて本発明を開示したが、添付の特許請求の範囲に規定される本発明の精神および範囲内にある他の実施形態がありうることを理解されたい。
【図面の簡単な説明】
【００２６】
【図１】「原紙」記述モードを示す、本発明の独立記述セレクタの好ましい実施形態の模式図である。
【図２】「コピー」記述モードを示す模式図である。
【図３】本発明のパラメータ追加−削除モードを示す模式図である。
【図１】
2004524999.tif 000003
【図２】
2004524999.tif 000004
【図３】
2004524999.tif 000005
【国際公開パンフレット】
2004524999.tif 000006
2004524999.tif 000007
2004524999.tif 000008
2004524999.tif 000009
2004524999.tif 000010
2004524999.tif 000011
2004524999.tif 000012
2004524999.tif 000013
2004524999.tif 000014
2004524999.tif 000015
2004524999.tif 000016
2004524999.tif 000017
2004524999.tif 000018
2004524999.tif 000019
2004524999.tif 000020
2004524999.tif 000021
2004524999.tif 000022
【国際調査報告】
2004524999.tif 000023
2004524999.tif 000024